(57)【特許請求の範囲】
【請求項１】
箱本体Ａの内部に製品収納部４７と付属品収納部４８とを設け、前記製品収納部４７をなす内挿材Ｂを、床板３０が揺動する吊床構造とした包装箱において、前記付属品収納部４８に巻込材Ｃを挿入し、前記箱本体Ａの一方の底隅に角筒状の巻込材Ｃを、他方の底隅に台部材６を沿わせ、この台部材６で巻込材Ｃの移動を規制し、前記内挿材Ｂを台部材６に載せ、内挿材Ｂの長い脚板３６の下端部に折目線３８を介して鉤部３９を設け、この鉤部３９を台部材６の台板１２に形成したスリット１４に差し込み、長い脚板３６が折目線３８沿いに屈伸して、製品収納部４７の床板３０に上下方向のクッション性が付与されるようにしたことを特徴とする包装箱。
【請求項２】
前記箱本体Ａの端壁２の上縁から延びるフラップ９を巻き込み、その先端部をフラップ９が角筒状をなすように上方へ折り曲げて、前記端壁２の内面に沿わせたことを特徴とする請求項１に記載の包装箱。
【発明の詳細な説明】
【０００１】
【発明の属する技術分野】
この発明は、携帯用のミニディスク（ＭＤ）プレーヤー等の包装に使用される包装箱に関するものである。
【０００２】
【従来の技術】
従来より、この種の包装箱として、図１０に示すようなものが提案されている（特願平１０−３５１２０１号参照）。この包装箱は、図示のように、箱本体Ａと内挿材Ｂとから成り、箱本体Ａは、底壁５１、各一対の側壁５２及び端壁５３を備え、一方の側壁５２の上縁に前記内挿材Ｂを、他方の側壁５２の上縁に蓋板５４を連設し、各端壁５３の上縁にフラップ５５を連設した構成となっている。
【０００３】
前記内挿材Ｂは、床板５６の周囲に各一対の側枠板５７及び端枠板５８を連設して製品収納部５９を形成し、隣接する側枠板５７と端枠板５８とを繋ぎ片６０で繋ぎ、側枠板５７及び端枠板５８の上縁から脚板６１、６２を延出して、底板５６を揺動自在に吊下支持したものであり、その脚板６２と、前記箱本体Ａの端壁５３の間には、付属品収納部６３が形成されている。
【０００４】
この包装箱では、外部から衝撃が作用すると、製品収納部５９の床板６１が揺動して衝撃を緩和し、製品収納部５９に収納したＭＤプレーヤー等の可動部分の損傷が防止される。
【０００５】
【発明が解決しようとする課題】
ところで、上記のような包装箱において、一方の付属品収納部６３にＡＣアダプタ等の重いものを収納すると、バランスが悪くなり、持ち運び時に落とす危険性がある。このような場合、上記包装箱では、箱本体の角部が潰れて商品価値が損なわれることもある。
【０００６】
そこで、この発明は、緩衝性に優れ、かつ角部が潰れにくい包装箱を提供することを課題とする。
【０００７】
【課題を解決するための手段】
上記課題を解決するため、この発明は、箱本体の内部に製品収納部と付属品収納部とを設け、前記製品収納部をなす内挿材を、床板が揺動する吊床構造とした包装箱において、前記付属品収納部に巻込材を挿入し、この巻込材を前記箱本体の底隅に沿わせたのである。
【０００８】
この包装箱では、製品収納部に収納された製品は、床板の揺動に伴い緩衝保持され、箱本体の底角部は巻込材で補強されて潰れにくくなる。
【０００９】
また、前記内挿材を前記箱本体に設けた台部材に載せ、前記箱本体の一方の底隅に前記巻込材を、他方の底隅に前記台部材を沿わせ、この台部材で前記巻込材の移動を規制してもよい。
【００１０】
さらに、前記箱本体の端壁上縁から延びるフラップを巻き込み、その先端部を前記端壁内面に沿わせると、箱本体の天角部も補強されて潰れにくくなる。
【００１１】
【発明の実施の形態】
この包装箱は、ＭＤプレーヤーをその付属品と共に収納するものであり、段ボールを素材とし、図１乃至図３にそれぞれブランク状態で示す箱本体Ａ、内挿材Ｂ及び巻込材Ｃから構成されている。
【００１２】
図１に示す箱本体Ａのブランクでは、各一対の側壁１及び端壁２が交互に連設され、開放側の側壁１の端縁には継代片３が連設されている。各側壁１の下縁には底板４が、各端壁２の下縁には底片５がそれぞれ連設され、一方の側壁１の上縁には台部材６が、他方の側壁１の上縁には蓋板７がそれぞれ連設され、各端壁２の上縁にはフラップ８、９がそれぞれ連設されている。
【００１３】
側壁１と台部材６の間には頂板１０及び重合板１１が介在し、台部材６は、重合板１１から延出した台板１２の先端縁及び一側縁に脚片１３を連設し、台板１２にスリット１４及び切込１５を形成したものとなっている。
【００１４】
フラップ８には、基端側から折曲片１６、内延片１７及び差込片１８が順次配置され、端壁２から差込片１８へかけて切込１９が設けられている。フラップ９には、基端側から蓋受板２０、折下板２１、下面板２２及び端当板２３が順次配置され、端当板２３の先端には突起２４が、蓋受板２０の基端には差込孔２５がそれぞれ形成されている。
【００１５】
蓋板７の先端縁には差込片２６が、その基端部には封止孔２７が設けられ、台部材６が繋がる側壁１から重合板１１にかけて、封止片２８と差込孔２９とが設けられている。
【００１６】
内挿材Ｂのブランクでは、床板３０の両側縁に側枠板３１が、両端縁に端枠板３２がそれぞれ連設され、隣接する側枠板３１と端枠板３２とは繋ぎ片３３で繋がれている。繋ぎ片３３と側枠板３１及び端枠板３２の境界折目が集まる底板３０の角部には、組立性及び緩衝性を向上させるため、Ｌ字形の逃げ孔３４が形成されている。
【００１７】
側枠板３１及び端枠板３２の外縁には、それぞれ脚板３５、３６が連設され、各一対の脚板３５、３６のうち一方は長く、他方は短くなっている。短い脚板３５の先端縁には鉤片３７が突設され、長い脚板３６の先端部には折目線３８を介して鉤部３９が設けられている。
【００１８】
巻込材Ｃのブランクでは、下面板４０の両側縁に側面板４１及び上面板４２が順次連設され、各上面板４２にＡＣアダプタの形状に対応した切抜４３が形成されている。一方の上面板４２の先端縁には差込片４４が、他方の上面板４２と側面板４１の稜部には切込４５が設けられている。
【００１９】
上記各ブランクを組み立てて包装箱を形成する際には、まず、図４に示すように、箱本体Ａにおいて、各一対の側壁１及び端壁２を筒状に折り曲げ、継代片３を反対側の端壁２の内面に貼着すると共に、底板４及び底片５を組み合わせて底壁４６を形成する。
【００２０】
次に、図５に示すように、頂板１０を内側へ、重合板１１を下方へ折り曲げ、台板１２を水平に向け、脚片１３を下向きにして、台部材６を箱本体Ａの底壁４６上にセットする。このとき、台部材６の一端縁は一方の端壁２の内面に沿う。
【００２１】
また、巻込材Ｃにおいて、ブランクを筒状に折り曲げ、２枚の上面板４２を重ね合わせ、差込片４４を切込４５に差し込んで保形する。そして、この巻込材Ｃを箱本体Ａの台部材６と他方の端壁２との間にセットする。このとき、巻込材Ｃの稜部が箱本体Ａの底隅に沿い、巻込材Ｃの箱本体Ａ内における移動は台部材６で規制される。
【００２２】
さらに、図６に示すように、内挿材Ｂにおいて、床板３０の周りに各一対の側枠板３１及び端枠板３２を起立させて製品収納部４７を形成し、各一対の脚板３５、３６を下方へ折り曲げ、長い脚板３５を台部材６の脚片１３と箱本体Ａの側壁１との間に差し込むと共に、長い脚板３６の鉤部３９をスリット１４に差し込み、鉤片３７を切込１５に挿入する。
【００２３】
この状態において、鉤片３７及び鉤部３９が台板１２に係合して内挿材Ｂは台部材６に固定され、短い脚板３５、３６の先端は台板１２の上面に当接して、床板３０は揺動自在に吊下支持される。また、長い脚板３６が折目線３８沿いに屈伸することにより、床板３０は上下方向にもクッション性を有するものとなる。
【００２４】
そして、このように箱本体Ａに内挿材Ｂをセットした状態で、図７乃至図９に示すように、内挿材Ｂの製品収納部４７にＭＤプレーヤーＭを収納し、その両側方に形成された付属品収納部４８のうち、一方の付属品収納部４８にセットした巻込材Ｃの切抜４３にＡＣアダプタＴを挿入する。その後、フラップ９を巻き込み、突起２４を差込孔２５に差し込んで、端当板２３をその端壁２の内面に沿わせる。
【００２５】
また、他方の付属品収納部４８にコード類Ｅを収納し、フラップ８の折曲片１６を下方へ、内延片１７を水平方向へ折り曲げ、差込片１８をスリット１４に差し込む。この差込により、内挿材Ｂは堅固となり、箱本体Ａも撓みにくくなる。また、このとき、コード類Ｅは切込１９から突出し、切込１９の内側部分が抜け出して、箱本体Ａの端壁２の上端から蓋受片４９が内側へ延びた状態となる。
【００２６】
その後、ＭＤプレーヤーＭの上にソフトケースＳ等を載せ、蓋板７を閉じて蓋受板２０及び蓋受片４９に重ね、差込片２６を差込孔２９に差し込み、封止片２８を封止孔２７に差し込んで封緘する。
【００２７】
このような包装箱によりＭＤプレーヤーＭを包装すると、製品収納部４７に収納されたＭＤプレーヤーＭは、床板３０の揺動に伴い緩衝保持され、ピックアップ等の可動部分の損傷が防止される。
【００２８】
また、箱本体Ａは、重いＡＣアダプタＴが収納される付属品収納部４８側の底角部が巻込材Ｃで補強されるので、落下時にこの角部が潰れにくくなる。
【００２９】
さらに、その天角部がフラップ９で補強され、反対側の底角部も台部材６で補強されるので、これらの角部が物流過程で潰れる危険性も低くなり、商品価値の低下が防止される。
【００３０】
【発明の効果】
以上のように、この発明に係る包装箱では、製品収納部に収納された製品が床板の揺動に伴い緩衝保持されると同時に、箱本体の底角部が巻込材で補強されて潰れにくくなるので、物流過程での落下による商品の損傷や、商品価値の低下が防止される。
【図面の簡単な説明】
【図１】この発明に係る包装箱の箱本体のブランクを示す図
【図２】同上の内挿材のブランクを示す図
【図３】同上の巻込材のブランクを示す図
【図４】同上の箱本体の組立過程を示す斜視図
【図５】同上の巻込材のセット過程を示す斜視図
【図６】同上の内挿材のセット過程を示す斜視図
【図７】同上の製品収納状態を示す斜視図
【図８】同上の包装状態を示す縦断正面図
【図９】図８のIX−IX線に沿った断面図
【図１０】従来の包装箱を示す斜視図
【符号の説明】
Ａ  箱本体
Ｂ  内挿材
Ｃ  巻込材
１  側壁
２  端壁
６  台部材
７  蓋板
８、９  フラップ
１１  重合板
１４  スリット
３０  床板
３１  側枠板
３２  端枠板
３５、３６  脚板
４６  底壁
４７  製品収納部
４８  付属品収納部
【図１】
0003635218.tif 000002
【図２】
0003635218.tif 000003
【図３】
0003635218.tif 000004
【図４】
0003635218.tif 000005
【図５】
0003635218.tif 000006
【図６】
0003635218.tif 000007
【図７】
0003635218.tif 000008
【図８】
0003635218.tif 000009
【図９】
0003635218.tif 000010
【図１０】
0003635218.tif 000011